(57)【要約】【課題】本発明の目的は、湿式現像装置を簡単に分解でき、各部品の機外でのクリーニングの後、容易に再組立できる湿式現像装置の電極板着脱装置を得るにある。【解決手段】取入部ローラで電極板上に取り込まれた感光シートの感光面に現像液を噴射させて静電潜像画像を現像し、同電極板の反対側端部に位置する一対の絞りローラによりマスターシートの余剰現像液を除去する湿式製版機において、前記絞りローラ側の前記電極板に臨む現像槽フレームに横断方向の支持軸を設け、この支持軸に係合できるＵ字溝を前記電極板の側面板に形成し、前記電極板直下の横断方向両側端部に手動操作可能な一対のラッチ部材を付勢バネで付勢した状態で設け、前記電極板の対応側端部にラッチピンを設けた湿式現像装置の電極板着脱装置を提案するものである。【選択図】図３
2005326707.tif 000002
【特許請求の範囲】
【請求項１】
取入部ローラで電極板上に取り込まれた感光シートの感光面に現像液を噴射させて静電潜像画像を現像し、同電極板の反対側端部に位置する一対の絞りローラによりマスターシートの余剰現像液を除去する湿式製版機において、前記絞りローラ側の前記電極板に臨む現像槽フレームに横断方向の支持軸を設け、この支持軸に係合できるＵ字溝を前記電極板の側面板に形成し、前記電極板直下の横断方向両側端部に手動操作可能な一対のラッチ部材を付勢バネで付勢した状態で設け、前記電極板の対応側端部にラッチピンを設けたことを特徴とする湿式現像装置の電極板着脱装置。
【請求項２】
前記感光シートは印刷用原板となるマスターシートであり、湿式現像装置は同マスターシートを現像する製版機の湿式現像装置であることを特徴とする請求項１記載の湿式現像装置の電極板着脱装置。
【発明の詳細な説明】
【技術分野】
【０００１】
本発明は湿式製版機などに用いられる湿式現像装置に関し、特に湿式現像装置の電極板着脱装置に関する。
【背景技術】
【０００２】
周知のように、現像液でマスターシートの表面の静電潜像を現像する湿式製版機においては、現像装置の現像液で静電潜像を現像した後、定着装置で現像画像をマスターシートの表面に定着・乾燥させる。
【０００３】
ところで、最近の湿式現像装置にあっては、静電潜像を形成されたマスターシートを取入部ローラにより電極板上に取り入れ、同マスターシートの感光面に現像液を噴射して現像を行った後、同電極板の端部に隣り合わされた一対の絞りローラにより余剰の現像液がマスターシートの表面から除去され、後続の定着装置で現像画像が加熱定着される。
【０００４】
【特許文献１】特許３３９５５６８号公報
【発明の開示】
【発明が解決しようとする課題】
【０００５】
したがって、このような構造の従来の湿式現像装置の構造では、稼働に伴って電極板や絞りローラに現像液が濃縮されて蓄積されるから、定期的または不定期に電極板や絞りローラを現像槽フレームから分解して、クリーニングする必要があったが、従来の湿式現像装置はこのような分解洗浄のためには考慮されてはいないため、現像槽フレームからの電極板や絞りローラを取り外したり、再組立するのにかなりの時間を要し、メンテナンス時間の長期化が避けられなかった。
【０００６】
本発明の目的は、以上に述べたような従来の湿式現像装置の問題に鑑み、湿式現像装置を簡単に分解でき、各部品の機外でのクリーニングの後、容易に再組立できる湿式現像装置の電極板着脱装置を得るにある。
【課題を解決するための手段】
【０００７】
この目的を達成するため、本発明は、取入部ローラで電極板上に取り込まれた感光シートの感光面に現像液を噴射させて静電潜像画像を現像し、同電極板の反対側端部に位置する一対の絞りローラによりマスターシートの余剰現像液を除去する湿式製版機において、前記絞りローラ側の前記電極板に臨む現像槽フレームに横断方向の支持軸を設け、この支持軸に係合できるＵ字溝を前記電極板の側面板に形成し、前記電極板直下の横断方向両側端部に手動操作可能な一対のラッチ部材を付勢バネで付勢した状態で設け、前記電極板の対応側端部にラッチピンを設けたことを特徴とする湿式現像装置の電極板着脱装置を提案するものである。
【０００８】
以下に説明する本発明の好ましい実施例の説明においては、前記感光シートは印刷用原板となるマスターシートであり、湿式現像装置は同マスターシートを現像する製版機の湿式現像装置であるものが説明される。
【発明の効果】
【０００９】
本発明によれば、ラッチ部材を手動操作するだけで、電極板を固定するラッチ部材が電極板のラッチピンから外れるため、現像槽フレームの支持軸から簡単に電極板を外すことができるため、各部品の機外でのグリーニングが容易再組立も簡単に行うことができる。
【発明を実施するための最良の形態】
【００１０】
以下、図面について本発明を施した湿式製版機の詳細を説明する。
図１について湿式製版機の製版プロセスの概略を説明すると、機体中に収納されるマスターシートロールＸ１の先端が繰出ローラユニット１及び給紙ローラユニット２により給紙パスに引き出され、図示を省略するシートカッタにより必要な長さに切断され、切断後のマスターシートＸの感光面にはコロナ帯電器４を通過する間に帯電が行われ、画像レーザスキャン器５からの画像が走査される同期フィードローラ６を通過される際に前記感光面に静電潜像が形成されることになる。
【００１１】
この後、マスターシートＸは取入部ローラ９の回転により同湿式湿式現像装置８に取り込まれ、現像液ノズル１０からの現像液の噴射で現像される。この湿式現像装置８では、マスターシートＸの表面の余剰の現像液が後述の一対の絞りローラ１１Ａ，１１Ｂの回転運動により現像槽１２中に回収され、回収現像液及び補充現像液が現像液循環装置１３により再循環される。
また、現像後のマスターシートＸは湿式現像装置８に隣り合った定着装置２０に移行されヒータパネル２１の加熱により乾燥されるけれども、このヒータパネル２１の入口には、一対の送りローラ２２が、パネルヒータ２１の上面には複数の押えコロ２３が、また、同ヒータパネル２１の上側には加温された機内空気を通過するマスターシートＸの表面に吹き付けて乾燥を促進させる定着器ファン２５が位置される。
【００１２】
このように必要な画像を印画処理されたマスターシートＸは排出ローラ２６の回転・排出運動により排紙トレー２７上に取り出されるが、同排紙トレー２７の上方には高温状態となった機内空気を機外に排出して機内温度上昇を防止する排気ファン２８が配置される。
【００１３】
図２及び図３は本発明による湿式現像装置８の詳細を示し、同湿式現像装置８の内部には一端部に前記取入部ローラ９を位置された電極板３０が配置され、感光面に向かって現像液ノズル１０から現像液を噴射されるマスターシートＸは同電極板３０に沿って案内され、電極板３０を通過する間に感光面の静電潜像が現像される。
また、前記電極板３０の他端部には、互いに転接状態におかれる上部絞りローラ１１Ａ及び下部絞りローラ１１Ｂが配置され、これらの絞りローラ１１Ａ，１１ＢのマスターシートＸに対する圧接によりマスターシートＸの表面の余剰現像液が除去される。
なお、図示は省略するけれども、これらの上部絞りローラ１１Ａ及び下部絞りローラ１１Ｂの軸受メタルは現像槽フレーム１２Ａに形成する保持溝中に落とし込まれるから、これらの軸受メタルごと対応保持溝から持ち上げるだけで現像槽フレーム１２Ａから取り外すことができる。
【００１４】
一方、前記現像槽フレーム１２Ａの一端部には電極板３０の横断方向（図３の紙面と直角な方向）に延長する支持軸３１が架設され、この支持軸３１には前記電極板３０の側板３０ａに形成するＵ字溝３２が着脱可能に係合される。
なお、図中、符号゛３４゛は上部絞りローラ１１Ａの周面に係合されるクリーニングブレード３５を係脱するブレード操作ソレノイドである。
【００１５】
図４に示すように、前記現像槽フレーム１２Ａには手動操作支持部材３７Ｌ，３７Ｒが軸支され、これらの手動操作支持部材３７Ｌ，３７Ｒ間には横断方向の連係軸３８が掛け渡され、この連係軸３８の両端部には付勢バネ３９Ｌ，３９Ｒで一方向に付勢下一対のラッチ部材４０Ｌ，４０Ｒが支持される。
これらのラッチ部材４０Ｌ，４０Ｒには前記電極板３０の下面に固定するブラケット４１に固定するラッチピン４２に係合できるラッチ溝４３がそれぞれ形成されている。
【００１６】
図示実施例による湿式現像装置８は、以上のような構造であるので、製版機の稼動状態では、ラッチピン４２がラッチ部材４０Ｌ，４０Ｒに係止された状態にあるので、電極板３０は支持軸３１とラッチ部材４０Ｌ、４０Ｒとにより現像槽フレーム１２Ａに固定された状態にある。
【００１７】
定期的又は不定期のメンテナンス時においては、絞りローラ１１Ａ，１１Ｂ及び電極板３０を機外で洗浄する必要があるが、このような場合には、先ず現像槽フレーム１２Ａから電極板３０を取り外せばよい。
即ち、前述した連係軸３８のラッチ部材４０Ｌ（手動操作部材）を付勢バネ３９Ｌ，３９Ｒの付勢に抗して図５の矢印Ａ方向に回動すれば、ラッチ部材４０Ｌ，４０Ｒがラッチピン４２から外れる。
したがって、ラッチ部材４０Ｌ，４０Ｒに対応した側の電極板３０の端部が自由になるから、次に支持軸３１を支点として電極板３０の右端部を矢印Ｂ方向に持ち上げた後、同電極板３０を支持軸３１から離れる矢印Ｃ方向に引くことにより、現像槽フレーム１２Ａに固定された支持軸３１からＵ字溝３２から外れるため、電極板３０を現像槽フレーム１２Ａから完全に取り外すことができる。
【００１８】
電極板３０を現像槽フレーム１２Ａから完全に取り外せば、現像槽フレーム１２Ａに形成する保持溝中に落とし込まれた上部絞りローラ１１Ａ及び下部絞りローラ１１Ｂの軸受メタルが外部に露呈されるから、これらの軸受メタルごと上部絞りローラ１１Ａ及び下部絞りローラ１１Ｂを現像槽フレーム１２Ａから取り外すことができる。
よって、現像槽１２外に取り出した電極板３０、上部絞りローラ１１Ａ及び下部絞りローラ１１Ｂを外部で洗浄した後、元の組立位置に戻すには、上部絞りローラ１１Ａ及び下部絞りローラ１１Ｂの軸受メタルを現像槽フレーム１２Ａの保持溝に戻し、前述とは逆にＵ字溝３２を支持軸３１に戻し、この支持軸３１を中心として時計方向に回動し、ラッチ部材４０Ｌ，４０Ｒにラッチピン４２を係合させるだけで組み立てることができる。
【産業上の利用可能性】
【００１９】
前述した本発明の実施例の説明においては、製版機の湿式現像装置に本発明を施した場合を説明したが、本発明は現像液を用いる他の画像処理機にも適用でき、この場合のマスターシートＸは一般的な感光シートとなる。
【図面の簡単な説明】
【００２０】
【図１】本願発明を施した製版機の全体断面図である。
【図２】同製版機の湿式湿式現像装置の平面図である。
【図３】同湿式現像装置の側断面図である。
【図４】同湿式現像装置要部の分解斜視図である。
【図５】同湿式現像装置の電極板の取り外し工程説明図である。
【図６】図５の６−６線に沿う拡大断面図である。
【符号の説明】
【００２１】
Ｘ      マスターシート
８      湿式現像装置
９      取入部ローラ
１０    現像液ノズル
１１Ａ  上部絞りローラ
１１Ｂ  下部絞りローラ
１２    現像槽
１２Ａ  現像槽フレーム
３０      電極板
３０ａ  側板
３１    支持軸
３２    Ｕ字溝
３７Ｌ，３７Ｒ  手動操作支持部材
３８    連係軸
３９Ｌ，３９Ｒ  付勢バネ
４０Ｌ，４０Ｒ  ラッチ部材
４２    ラッチピン
４３    ラッチ溝
【図１】
2005326707.tif 000003
【図２】
2005326707.tif 000004
【図３】
2005326707.tif 000005
【図４】
2005326707.tif 000006
【図５】
2005326707.tif 000007
【図６】
2005326707.tif 000008